(57)【要約】【課題】本発明は、外装基材の一方を接着性に優れた発泡樹脂の基材とし、他方を非発泡樹脂の基材とすることにより、アンテナが存在する部分の基材上のうねり、波打ちやカールを軽減する非接触情報媒体を提供する。【解決手段】本発明は、アンテナ４が形成されたアンテナシート３と、アンテナ４に接続されたＩＣチップ５と、アンテナシート３の両面にそれぞれ外装基材が積層された非接触型情報媒体であって、外装基材の一方は、多孔質の発泡樹脂の部材により形成された第１基材６とされ、外装基材の他方は、非発泡樹脂の部材により形成された第２基材７とされていることを特徴とする。【選択図】図２
2010092120.tif 000002
【特許請求の範囲】
【請求項１】
両面にアンテナが形成されたアンテナシートと、前記アンテナに接続されたＩＣチップとを有するインレットの両面を外装基材で被覆して挟み込んだ非接触情報媒体であって、
前記外装基材の一方は、多孔質の発泡樹脂からなる第１基材であり、
前記外装基材の他方は、非発泡樹脂からなる第２基材であることを特徴とする非接触情報媒体。
【請求項２】
請求項１に記載の非接触情報媒体と、
前記非接触情報媒体の一方の面に貼り合わされたカバー部材と
を備えることを特徴とするカバー付非接触情報媒体。
【請求項３】
請求項１に記載の非接触情報媒体を備えることを特徴とする非接触情報媒体付冊子。
【発明の詳細な説明】
【技術分野】
【０００１】
本発明は、外部機器に対して非接触でデータの通信を行う非接触情報媒体及びこれを備えた非接触情報媒体付冊子に関する。
【背景技術】
【０００２】
近年、非接触ＩＣカードや非接触ＩＣタグを用いたシステムが普及する中、例えばパスポートや預貯金通帳などの冊子に、電子データの記入や印字が可能なＩＣインレットを設けた非接触情報媒体が利用されてきている。非接触情報媒体は、ＩＣモジュールと、このＩＣモジュールに接続されたアンテナとを備えたアンテナシートの両面に上質紙やコート紙などよりも高い引き裂き強度を持ち、かつ柔軟性に優れた基材が取り付けられて構成されている。
このような非接触情報媒体として、アンテナシートをその両面から挟む外装基材が多孔性の発泡樹脂により形成されたものが知られている（例えば、特許文献１参照。）。
図６（ａ）は、特許文献１に記載された非接触情報媒体２１を模式的に表した分解断面図、図６（ｂ）は、特許文献１に記載された非接触情報媒体２１を接合させた状態を示す断面図である。
非接触情報媒体２１は、ＩＣインレット２２が多孔質構造を有する２枚のシート状発泡樹脂シート２６によって上下から挟み込まれて形成されている。ＩＣインレット２２と、その上下両面に取り付けられるシート２６とは、接着剤（不図示）によって一体的に接合されている。
ＩＣインレット２２は、アンテナシート２３と、アンテナシート２３の両面に形成されたアンテナコイル２４と、アンテナシート２３に取り付けられたＩＣチップ２５とを備えている。
多孔質構造を有するシート２６は、吸水性があり、水やアルコール系糊などを利用することができるとされている。このため、紙などのカバー部材との接合に適しており、また、多孔質構造を利用して、接合強度に優れたラミネーション処理を行うことができるとされている。一方アンテナシート２３に、発泡樹脂を採用すると、その吸湿性がアンテナ２４設置のエッチング処理等の妨げになるため、非発泡樹脂が採用されることが多い。
【特許文献１】米国特許第７０５９５３５号公報
【発明の開示】
【発明が解決しようとする課題】
【０００３】
ところで、特許文献１の非接触情報媒体２１における発泡樹脂によるシート２６は高い熱収縮性があるが、アンテナシート２３は非発泡樹脂を採用しておりシート２６とは異なる熱収縮性を有するものであるため、アンテナシート２３に設けられたアンテナ層２４を挟み込みラミネート接合を行うと、発泡樹脂のシート２６とアンテナシート２３との熱収縮率の大きな相違により、シート２６の表面においてアンテナの凹凸に沿った局所的な変形、すなわちうねりや波打ちやカールが発生しやすくなるという問題があった。その結果、図６（ｂ）や（ｃ）に示すように、アンテナ層２４の存在がシート２６やカバー材２７の表面において視認され、外観的な品質が劣化するという問題があった。
また、発泡樹脂からなるシート２６は、基材の伸張度が高く、厚みのあるアンテナ２４を含むアンテナシート２３に貼り付けると、その厚みに応じてシート２６が伸張し、アンテナシート２４の厚みが浮き出やすくなるため、上記と同様に、シート２６やカバー材２７の表面アンテナ２４の存在が視認しやすくなり外観的な品質が低くなるという問題があった。
またさらに、発泡樹脂は、非発泡樹脂に比べて引き裂き耐性が低く、シート２６を故意に引き裂こうとすると簡単に引き裂けて、アンテナシート２３を破損させてしまいやすいという問題があり、偽造等の目的でＩＣインレットのみを取り出すことが容易となるため、セキュリティの観点から望ましくないという問題があった。
【０００４】
本発明は上記事情に鑑みてなされたものであり、外観が良好に保持され、引き裂き強度及びセキュリティ性の高い非接触情報媒体を提供することを目的とする。
【課題を解決するための手段】
【０００５】
上記目的を達成するために、本発明は以下の手段を提供している。
本発明の第１の態様である非接触情報媒体は、両面にアンテナが形成されたアンテナシートと、前記アンテナに接続されたＩＣチップとを有するインレットの両面を外装基材で被覆して挟み込んだ非接触型情報媒体であって、前記外装基材の一方は、多孔質の発泡樹脂からなる第１基材であり、前記外装基材の他方は、非発泡樹脂からなる第２基材であることを特徴とする。
本発明の第２の態様であるカバー付非接触情報媒体は、非接触情報媒体の一方の面に貼り合わされたカバー部材を備えていることを特徴とする。
本発明の第３の態様である非接触情報媒体付冊子は、本発明の非接触情報媒体を備えていることを特徴とする。
【発明の効果】
【０００６】
本発明の非接触情報媒体によれば、アンテナシートの一方の面に発泡樹脂を採用し、冊子紙面等との接着性を持たせつつ、他方の面に非発泡樹脂を採用することにより、外装基材のうねりや波打ち、カールが発生するのを抑制することができ、外観上の品質を向上させつつ引き裂き強度及びセキュリティ性の高い非接触情報媒体を提供することができる。
【発明を実施するための最良の形態】
【０００７】
以下、図面を参照して本発明の実施の形態を説明する。
図１は、本発明の一実施形態に係る非接触ＩＣインレイ（非接触型情報媒体）の一部を構成するＩＣインレット２を示す図である。図２（ａ）は、ＩＣインレット２を用いて非接触ＩＣインレイ１を作製した分解断面図であり、図２（ｂ）は、ＩＣインレット２に外装基材が接合された状態を示す断面図である。
【０００８】
非接触ＩＣインレイ１は、ＩＣインレット２が第１基材６及び第２基材７の２枚のシート状の外装基材によって上下から挟み込まれて形成されている。ＩＣインレット２と、その上下両面に取り付けられる第１基材６及び第２基材７とは、接着剤８によって一体的に接合されている。
【０００９】
ＩＣインレット２は、アンテナシート３と、アンテナシート３の両面に形成されたアンテナコイル４と、アンテナシート３に取り付けられたＩＣチップ５とを備えている。
【００１０】
アンテナシート３の材料としては、ポリエチレンテレフタレート（ＰＥＴ）等の各種樹脂を好適に採用することができる。
【００１１】
アンテナコイル４は、アルミや銀等の導体を用いてエッチング、ワイヤボンディング、印刷等の方法により形成されている。中でもアルミは安価であり、製造コストの観点から好ましい。アンテナコイル４は、一方の面に設けられたアンテナループ４Ａと、他方の面に形成されたジャンパ線４Ｂとを有している。ジャンパ線４Ｂの端部は、シートに開けられた図示しない貫通孔を用いたり、かしめられたりしてアンテナループ４Ａと電気的に接続されている。
【００１２】
ＩＣチップ５は、溶接等によってアンテナコイル５と電気的に接続されてアンテナシート３に取り付けられている。これによって、ＩＣインレット２は、外部のデータ読取装置等との間で、非接触でデータの送受信を行うことができる。
【００１３】
第１基材６は、ポリエチレン、ポリプロピレン、ポリブデン、ポリイソプレン、エチレン−プロピレン共重合体、エチレン−酢酸ビニル共重合体、エチレン−α−オレフィン共重合体、プロピレン−α−オレフィン共重合体、エチレン−エチルアクリレート共重合体やアイオノマー等のポリオレフィン系樹脂からなる。第１基材６は、これにシリカ等の多孔質粒子を混合し、樹脂の混練時に空気を加えて発泡させ、延伸後に穿孔加工する等の方法で得ることができる基材からなる。
第１基材６として、インクジェットやオフセット等に対する印刷適正を付与した樹脂シート又は合成紙として市販されているものを利用することも可能である。また、第１基材６は、熱可塑性を有するものが好ましい。この第１基材６に用いられる、例えばポリオレフィン系の発泡樹脂は柔軟性が高く、最終製品となる冊子等の製品に用いて柔軟性を保持させるには有効な基材である。
第１基材６は、厚み０．１５ｍｍから０．５０ｍｍ程度とするのが望ましい。
【００１４】
非発泡樹脂による第２基材７は、ＰＥＴ、ＰＥＮ、ＰＥＮ−Ｇ、ＰＥＴ−Ｇ、ＰＶＣ、ポリイミドなど、アンテナシートと同じ材質か、又は、熱やその他の加工による伸縮がアンテナシートと等しくなるような材質の基材からなる。
したがって、第２基材は、熱収縮率が０．１％〜２％（１５０℃３０分）である材質の基材とするのが好適である。また、第２基材７の伸張度は、１００〜２００％（ＭＤ）、７５％〜１５０％（ＣＤ）の範囲である材質の基材とするのが好適である。
さらに、第２基材７は、これを非発泡樹脂とすることにより冊子等に組み込んだ際に冊子全体の硬度が高くならないよう、すなわち、冊子の柔軟性が損なわれないようにする。第２基材の硬度（柔軟性）は、第２基材の厚みによって調整できる。前記第２基材の厚みを、０．０３ｍｍ〜０．１５ｍｍとし、硬度を０．０５〜０．５０ｍＮ・ｍとすると第２基材を好適に採用することが出来るが、０．０５ｍｍ〜０．０７５ｍｍとするのがより好ましい。なお、この硬度は、例えば、（Ｊ）ＴＡＰＰＩ  ＵＭ４０９に従い、シートの柔軟性（たわみ量）ｙを測定し、ｗを試験片の１平方メートル辺りの重量、Ｌをたわみが測定される試験片の部分の長さとした場合の硬度Ｅｌを下記の計算式にて算出したものに基づき検討の上、設置すればよい。
Ｅｌ＝ｗＬ１／８ｙ
【００１５】
接着剤８には、エチレン酢酸ビニル共重合体（ＥＶＡ）系、エチレンアクリル酸共重合体（ＥＡＡ）系、エチレンメタクリル酸共重合体（ＥＭＡＡ）系、ポリエステル系、ポリアミド系、ポリウレタン系、オレフィン系等の各種熱可塑性樹脂からなるものを好適に採用することができる。また、接着剤８は、熱溶融性を有するものが好ましい。
接着剤８による第１基材６及び第２基材７のアンテナシート３への貼り合わせの際の厚みは０．００１ｍｍから０．０３ｍｍであることが望ましい。これにより第１基材６及び第２基材７とアンテナシート３との接着強度保持とアルコールや塩水といった溶液浸入によるアンテナ腐食へのバリア効果保持が可能となる。
【００１６】
以上のように、本発明によれば、アンテナシートの一方の面に発泡樹脂を採用し、冊子紙面との接着性を持たせつつ、他方の面に非発泡樹脂を採用することにより、第２基材とアンテナシートの熱収縮率を同等にすることで、図２（ｂ）に示すように、熱ラミネート処理の際にアンテナシートと第２基材との熱収縮率が相違することに基づく表面のうねりや波打ち、カールが発生するのを抑制することができ、外観的な品質を向上させうるという効果が得られ、ひいては非接触情報媒体全体として冊子に好適なものとすることができるという効果が得られる。
また、本発明の第２基材によれば、基材の熱収縮率が０．１％〜２％（１５０℃３０分）に抑えられ、第２基材とアンテナシートの熱収縮率を同等となることから、ラミネート処理の際の熱収縮に基づく表面のうねりや波打ち、カールが発生するのを効果的に抑制することができ、外観的な品質を向上させうるという効果が得られる。
また、本発明によると、伸張度を１００〜２００％（ＭＤ）、７５％〜１５０％（ＣＤ）とする第２基材を採用することにより、アンテナシート上のアンテナの厚みにより外装基材の表面に現れうる凹凸の発現を効果的に防止することができ、内蔵されたアンテナ及びアンテナシートの外装基材表面からの視認を不可能とし、上記と同様に外観上の品質を向上できるという効果が得られる。
また、本発明によると、アンテナシートにおいてアンテナを配した部分の凹凸を大きく軽減するため、該部分における外装基材又はカバー部材の磨耗を防止することができる。
またさらに、本発明によると、第２基材の厚みを０．０３ｍｍ〜０．１５ｍｍとし、第２基材の硬度を０．０５〜０．５０ｍＮ・ｍとすることで、冊子全体の柔軟性を維持することができ、かつ、第１基材のみを使用した非接触情報媒体よりも、薄くても強度な引き裂き耐性を確保することができるという効果が得られる。
【００１７】
図３（ａ）は、本発明のカバー部材付非接触ＩＣインレイ１０の構成を示す分解断面図、図３（ｂ）は、非接触インレイ１にカバー部材１１が取り付けられた状態を示す断面図である。
本発明による非接触ＩＣインレイ１は、第２基材７の外面に布やＰＶＣ等のクロス素材によるカバー部材１１が接着剤１９により貼り合わされて、冊子に適用される前の中間製品となる。
カバー部材１１は、厚み０．２５ｍｍから０．５ｍｍの布クロス、紙クロス、ＰＶＣクロスを採用することができ、厚み０．００５ｍｍから０．０５ｍのポリウレタン系や塩酸ビニル若しくは酢酸ビニル系の接着剤を介して第２基材７の外面に配することが出来る。さらに、これを熱ラミネート処理をすることによって厚み０．５ｍｍから１．４ｍｍのカバー付非接触ＩＣインレイ１０とすることができる。
【００１８】
本願発明の構成を採用すると、図３（ｂ）に示すように、第２基材７及びカバー部材１１が貼り合わされても、アンテナ４の厚みが第２基材の表面、ひいてはカバー部材の表面に浮き出たり、波打ちやカールによるうねりが生じにくく、第２基材７ないしカバー部材１１の表面に凹凸が生じない。
【００１９】
図４は、非接触ＩＣインレイ１が、冊子１５に適用された状態を示す図である。
非接触ＩＣインレイ１には、コート紙や上質紙などの冊子紙面（枚葉紙）１２が第１基材６に貼り合わされ、又は綴じ合わされ、一方、紙、布やＰＶＣ等のクロス素材によるカバー部材１１が接着剤により第２基材７に取り付けられ、非接触情報媒体付冊子１５の一部となることができる。
【００２０】
なお、アンテナシート３は、図５（ａ）又は（ｂ）に示すように、その厚さ方向に貫通する貫通孔１３を設け、後述する前記第１基材と前記第２基材とを貫通孔１３においてアンテナシート３を介在せずに接合させることができる。
該貫通孔１３を設けることにより、後述する第１基材の表面に熱ラミネート加工などの処理を施して第２基材と直接的に強固に接合しつつも、第２基材を用いていることにより、貫通孔１３による凹凸の視覚化を防止することができる。また、非接触ＩＣインレイ１全体がより安定して接合されるとともに、偽造等の目的でＩＣインレットのみを取り出すことが困難となり、セキュリティ性を高めることができる。
【００２１】
以上、本発明の実施形態と本発明による効果について説明してきたが、本発明の技術範囲は上記実施の形態に限定されるものではなく、本発明の趣旨を逸脱しない範囲において種々の変更を加えることが可能である。
【００２２】
以下、実施例を用いて、本実施形態の非接触ＩＣインレイ１及び冊子１５についてさらに説明する。
（実施例）
１．ＩＣインレットの作製
アンテナシート３は、厚み０．０３８ｍｍ、硬度０．０５ｍＮ・ｍ、熱収縮率        １６０％（ＭＤ）とするＰＥＴからなる基材とし、該アンテナシート３の一面上にパターン蒸着などの処理により形成されたアンテコイル４ＡとＩＣチップ５を備えた。アンテナシート３の他方の面には、ＩＣチップ５とアンテナコイル４Ａとを、ジャンパ線４Ｂを配して、溶接方式でそれぞれ接合した。
【００２３】
２．第１基材
アンテナシート３の一方の面に配する第１基材は、厚みを０．１８ｍｍ、硬度を      
０．１５ ｍＮ・ｍ、熱収縮率を４％（１５０℃３０分）とする多孔質の発泡樹脂からなる基材とし、具体的には、ポリオレフィン系の樹脂で、商品名「ＴＥＳＬＩＮシート」（PPG Industry社製）とした。
【００２４】
３．第２基材
アンテナシート３の他面に配する第２基材７は、厚みを０．７５ｍｍ、硬度を      
０．１０ｍＮ・ｍ、熱収縮率を１６７％（ＭＤ）とする非発泡樹脂のＰＥＴからなる基材とした。
【００２５】
４．第１基材及び第２基材７の貼り合わせ
前記第１基材及び第２基材７のシートは、各々厚み０．０１ｍｍのオレフィン系の接着剤を用いてアンテナシート３に貼り合わせた。
そして、一方の多孔質性の第１基材６には、ＩＣチップ５のリードフレームサイズ相当に穴あけ加工を行い、他方の非発泡性樹脂の第２基材７には、ＩＣチップ５のモールドサイズ相当に穴あけ加工を行った。
【００２６】
３．情報媒体の作製
第１基材６に形成した上述の穴に、ＩＣチップ５のリードフレーム及びモールドが収容されるように、ＩＣインレット２及び第１基材６を配置した。そして、第１基材６及び第２基材７により、上下両面からＩＣインレット２を挟み込み、スポット加熱により仮止めした。
スポット加熱により仮止めされた第１基材６、第２基材７、及びＩＣインレット２を、２枚のステンレス板に挟み込み加熱加圧して完全に接合し、非接触ＩＣインレイ１を得た。加熱加圧条件は、加熱部温度１４０℃、圧力４０ＫｇＦ/ｃｍ２とし、処理時間を１２０秒とした。
【００２７】
４．冊子への取り付け
表紙部材となるカバー部材１１は、厚み０．４ｍｍの布製クロスとした。このカバー部材１１を、第２基材７の外面に、厚み０．０５ｍｍのポリウレタン系の接着剤を介して配し、熱ラミネート処理をすることによって厚み０．６ｍｍのカバー付情報媒体とした。
次に、複数の本文用紙と一枚の内貼り用紙とを丁合いし、中央をミシンで縫うことで、内貼り用紙が最外部に取り付けられた冊子紙面１２部分を作製した。そして、表紙部材に接着された非接触ＩＣインレイ１の、表紙部材と反対側の第１基材６に水系エマルジョン接着剤（商品名：ＳＰ−２８５０、コニシ（株）製）を２０ｇ／ｍ２で塗工し、当該第１基材６と内貼り用紙とを接着した。得られた冊子を広げた状態で１２５ｍｍ×１８０ｍｍに断裁し、冊子１５を得た。
以上のようにして作製された非接触ＩＣインレイ１においては、アンテナシート３上に形成されたアンテナコイル４による波打ちやカールは発生せず、また非接触ＩＣインレイ１の第２基材７の表面においてアンテナコイル４の存在を視認することができず、外観が良好であった。また、上記により作製された非接触ＩＣインレイ１を備えた非接触情報媒体付冊子１５においてもやはり、カバー部材１１の表面においてアンテナコイル４の存在を視認することはできず、外観が良好なものとなった。
【図面の簡単な説明】
【００２８】
【図１】本発明の非接触ＩＣインレイを構成するＩＣインレットの一例を示す正面図である。
【図２】（ａ）  ＩＣインレット２を用いて非接触ＩＣインレイ１を作製した分解断面図である。      （ｂ）  ＩＣインレット２に外装基材が接合された状態を示す断面図である。
【図３】（ａ）  カバー部材付非接触ＩＣインレイ１０の構成を示す分解断面図である。        （ｂ）は、非接触インレイ１にカバー部材１１が取り付けられた状態を示す断面図である。
【図４】非接触ＩＣインレイ１が、冊子に適用された状態を示す図である。
【図５】(ａ)（ｂ）本発明の非接触ＩＣインレイを構成するＩＣインレットの他の例を示す正面図である。
【図６】（ａ）従来の非接触ＩＣインレイの構成を説明する分解断面図である。        （ｂ）従来の非接触ＩＣインレイが接合された状態を示す断面図である。        （ｃ）従来のカバー部材付非接触ＩＣインレイを示す断面図である。
【符号の説明】
【００２９】
１  非接触ＩＣインレイ（非接触情報媒体）
２  ＩＣインレット
３  アンテナシート
４  アンテナコイル
５  ＩＣチップ
６  第１基材
７  第２基材
１１  カバー部材
１５  冊子
【図１】
2010092120.tif 000003
【図２】
2010092120.tif 000004
【図３】
2010092120.tif 000005
【図４】
2010092120.tif 000006
【図５】
2010092120.tif 000007
【図６】
2010092120.tif 000008